(57)【要約】【課題】人力にて容器内のごみを容易に圧縮減容することのできる装置を提供する。【解決手段】台板上に支柱を立設し、支柱上縁に、雄ねじを有する回動体を回動可能に位置させるとともに、回動体を回動させるためのハンドルを設け、該雄ねじに螺合するとともにその下端に押圧板を有する昇降体を設けたことを特徴とする。【選択図】図２
2011020851.tif 000002
【特許請求の範囲】
【請求項１】
台板上に支柱を立設し、支柱上縁に、雄ねじを有する回動体を回動可能に位置させるとともに、回動体を回動させるためのハンドルを設け、該雄ねじに螺合するとともにその下端に押圧板を有する昇降体を設けたことを特徴とする簡易型ごみ圧縮装置。
【請求項２】
ハンドルを回動体に対し着脱可能に設けてなる請求項１記載の簡易型ごみ圧縮装置。
【発明の詳細な説明】
【技術分野】
【０００１】  この発明は、所定容器内のごみを圧縮するための装置に関する。
【背景技術】
【０００２】  従来より、種々の圧縮装置が利用されているが、本発明に示すように、人力により圧縮可能なる家庭用のシンプルな装置は現在のところ見あたらない。
【発明の開示】
【発明が解決しようとする課題】
【０００３】  家庭におけるごみ処理は一般的にはごみ箱に収容されたごみを所定のごみ袋内に移動してこれをゴミステーションへ排出する方法が用いられている。あるいはごみ袋を予めごみ箱内にセットしておき、収容したごみをごみ袋ごと箱から取り出して廃棄する、もしくはごみ袋自体にごみを直接投入してこれを廃棄するなどの手段がある。
ごみの種類は、生ごみ、紙類、プラスチック容器類、金属容器、ビン類など様々であり、各々分別して廃棄される。プラスチック容器はその種類も多く、トレーやカップ麺容器などの食品容器、ペットボトルなどかさばるものも多い。これをそのまま廃棄すると、すぐにごみ箱を満たしてしまうため、人によっては足で踏むなどしてその容積を縮小して廃棄するなどしている。しかし、足で踏む力は限られ、また圧縮しても押圧を止めると近似的に元の形状に復元する容器もある。
近年、地域によってはごみの有料化の傾向があり、所定のごみ袋を購入して、この袋にごみを入れて廃棄することとなるが、廃棄効率を高めるためにごみを圧縮して出す方向へ進むことが想定されるが、これに対処しうる有効な手段が見あたらないのが現状である。
本発明は、以上のような従来からのごみ廃棄手段に関わる課題を解決するために発明されたもので、シンプルな装置にて効率よくごみを圧縮することのできる、新規かつ有用なる手段を提供することを目的としたものである。
【課題を解決するための手段】
【０００４】  課題を解決する手段として本発明は以下の構成とした。
すなわち、台板上に支柱を立設し、支柱上縁に、雄ねじを有する回動体を回動可能に位置させるとともに、回動体を回動させるためのハンドルを設け、該雄ねじに螺合するとともにその下端に押圧板を有する昇降体を設ける。本発明は以上の構成よりなる簡易型ごみ圧縮装置である。なお、ハンドルを回動体に対し着脱可能に設けて構成してもよい。
【発明の効果】
【０００５】  本発明によれば、ハンドル操作にてハンドルに加わる力を増幅して押圧板を昇降させることができ、押圧板下方に位置する容器内のごみを容易に圧縮して減容することのできる有用なる装置を得ることができる。また、ハンドルを着脱可能とすることにて、長さの異なるハンドルを用いて押圧力を可変とすることができ、ごみ収容のための専用の容器とガイド板を用いることにてごみ容器の安定と位置決めの容易性を得ることのできる便利な装置を得ることができる。
【発明を実施するための最良の形態】
【０００６】  以下、本発明の実施形態について説明する。
図において、１は台板で、略方形の金属板で、その四隅近傍上面には金属管による支柱２が固着立設される。この支柱は金属管を折曲して形成され、中間部を鈍角に台板内方へ折曲し、上端部分はさらに折曲されて、後述のケーシング外面に固着される。
３は台板上に対向して固着されるガイド板である。このガイド板は、長方形板体の長辺方向に部分折曲して、図４にて示すように、台板に固着したときにその一部が台板上面とわずかの距離を持って位置している。４は回動機構部である。５はケーシングで、金属製円柱体の中央に貫通孔を設けるとともに、この貫通孔の一部を大径として形成され、下面には雌ねじが四等配に刻設される。また、前述のごとくケーシング外周面には支柱上縁が四等配に固着される。６は押さえ板で、その中央に孔を有し、外周近傍には四等配に孔が穿設される。この孔はケーシング下面の雌ねじ位置と対応し、ビスにて螺着される。
７は回動体である。この回動体は、段部を有する円柱体の下方を長く伸ばして雄ねじを刻設し、上部に角柱を形成したもので、図３のごとくその上部がケーシング内に回動可能に収納され、角柱部分はケーシング上方に突出する。以上のケーシング、回動体、押さえ板にて回動機構部が構成される。８はハンドルで、細長板体の一端近傍に角穴を設け、他端上方に握り柄を固着立設したものであり、図３のように、この角穴内に回動体の角柱を位置させてセットされる。９は昇降体で、適当長の管体内面に雌ねじを刻設し、該管体下端には円板による押圧板１０の中央が固着されている。この雌ねじは前記回動体の雄ねじに螺合する。１１はごみ収納体で、上下部開放の筒部１２の下端外周に環状平板１３を固着して形成される。この環状平板は既述のガイド板間に挿入可能である。
以上が、本発明の一実施形態である。【０００７】  次に、本発明の使用について説明する。
まず、本装置を任意に選択した床面上に置き、ハンドルを回して昇降体を上方に位置させる。次に、ごみを収納したごみ袋を中に入れたごみ収納体下部の環状平板をガイド板間にあてがって挿入し、押圧板中心に一致させ、ハンドルを回して回動体を回しながら手で昇降体をつかんで支えることにて、この昇降体は下降を開始し、やがて押圧板下面はごみ上面に当接するがハンドル回動を続けることにて押圧板はごみを圧縮しながらさらに下降する。ある程度の圧縮減容がなされたらハンドル回動を停止する。
次にごみを投入するときは、再びハンドル回動にて押圧板を上方に位置させ、ごみ投入後に同様の操作を行い、これを繰り返すことにて圧縮減容されたごみがごみ収納体内に溜まる。収納不可となったときは、昇降体を上方に位置させてごみ収納体をガイド板に沿って引くと、このごみ収納体はガイド板より離れるので、ごみ袋をごみ収納体より引き出して通常のごみとしてゴミステーションに廃棄する。【０００８】  以上、本発明について記したが、本発明は簡易な装置にてごみを圧縮減容できるところにその特徴を有し、家庭での使用を想定したものである。従来はこのような装置がなく、ごみ袋内に入れたごみをそのまま排出していたので、ごみ排出頻度を減らすことはできなかったが、本発明の使用にてごみの減容が可能となり、排出頻度を減らすことが可能となったのである。なお、既述の例では無底の筒体にてごみ収納体を形成したが、有底の筒体を用いて形成してもよい。また、ガイド板中央上面に雌ねじを刻設して、ここに雄ねじを有するつまみを螺合させることにて、ガイド板に挿入した環状平板の固定が可能となる。
本発明はこのようにガイド板を設けたので、ごみ収納体の位置決めを容易に行うことができる。また、ハンドルは着脱可能のため、回動半径の異なるハンドルにつけ替えて押圧力を増強することも可能である。既述の例ではごみ収納体と押圧板ともに円形としたが、これらを角形としてもよい。なお、ケーシング内にはグリスなどの潤滑剤を充填することで円滑に回動させることができる。以上のごとく、本発明にてごみを容易に圧縮減容して廃棄することのできる有用なる装置を得ることができる。
【図面の簡単な説明】
【０００９】
【図１】  本発明の平面図
【図２】  本発明の正面図
【図３】  本発明の要部構造説明図
【図４】  本発明の要部構造説明図
【図５】  本発明のごみ収納体の平面図
【図６】  本発明のごみ収納体の正面図
【図７】  本発明の使用状態説明図
【符号の説明】
【００１０】  １  台板
２  支柱
３  ガイド板
４  回動機構部
５  ケーシング
６  押さえ板
７  回動体
８  ハンドル
９  昇降体
１０  押圧板
１１  ごみ収納体
１２  筒部
１３  環状平板
１４  ごみ袋
１５  つまみ
【図１】
2011020851.tif 000003
【図２】
2011020851.tif 000004
【図３】
2011020851.tif 000005
【図４】
2011020851.tif 000006
【図５】
2011020851.tif 000007
【図６】
2011020851.tif 000008
【図７】
2011020851.tif 000009
【手続補正書】
【提出日】平成21年10月27日(2009.10.27)
【手続補正１】
【補正対象書類名】特許請求の範囲
【補正対象項目名】全文
【補正方法】変更
【補正の内容】
【特許請求の範囲】
【請求項１】
台板上に支柱を立設し、支柱上縁に、雄ねじを有する回動体を回動可能に位置させるとともに、回動体を回動させるためのハンドルを設け、該雄ねじに螺合するとともにその下端に押圧板を有する昇降体を設け、その一部が台板上面とわずかの距離を持って位置するガイド板を台板上に対向固着したことを特徴とする簡易型ごみ圧縮装置。
【請求項２】
筒部の下端外周に環状平板を固着してなるごみ収納体を設け、該ごみ収納体と請求項１記載のごみ圧縮装置との組み合わせよりなる簡易型ごみ圧縮装置。
【手続補正書】
【提出日】平成22年1月12日(2010.1.12)
【手続補正１】
【補正対象書類名】特許請求の範囲
【補正対象項目名】全文
【補正方法】変更
【補正の内容】
【特許請求の範囲】
【請求項１】
台板上に支柱を立設し、支柱上縁に、雄ねじを有する回動体を回動可能に位置させるとともに、回動体を回動させるためのハンドルを設け、該雄ねじに螺合するとともにその下端に押圧板を有する昇降体を設け、その一部が台板上面とわずかの距離を持って位置する長方形板体によるガイド板を台板上に対向固着したことを特徴とする簡易型ごみ圧縮装置。
【請求項２】
筒部の下端外周に環状平板を固着してなるごみ収納体を設け、該ごみ収納体を請求項１記載のごみ圧縮装置に設けたガイド板と台板間の間隙に環状平板を位置させて組み合わせてなる簡易型ごみ圧縮装置。